(57)【要約】【課題】電気錠ボックスが取り付けられているドアの鍵穴に、いたずらや不正な解錠操作がが為されないようにする。【解決手段】鍵穴を有するドアのドアノブ１３に電気錠ボックス（電気錠本体３）を取り付け、前記電気錠本体３に鍵穴部１を覆う部材（鍵穴覆い部２）を設ける。【選択図】    図１
2004225516.tif 000002
【特許請求の範囲】
【請求項１】
鍵穴を有するドアのドアノブに電気錠ボックスを取り付け、前記電気錠ボックスに該鍵穴を覆う部材を設けたことを特徴とするキー保管庫を具備する電子錠ボックス。
【請求項２】
前記電気錠ボックスは、シャックルを有し、前記鍵穴を覆う部材は、前記シャックルが閉錠状態のとき、前記鍵穴を覆うものであり、前記シャックルが解錠状態のとき、前記鍵穴を覆わないものである、請求項１記載のキー保管庫を具備する電気錠ボックス。
【請求項３】
前記電気錠ボックスは、前記キー保管庫が閉錠状態のとき、前記鍵穴を覆うものであり、前記キー保管庫が解錠状態のとき、前記鍵穴を覆わないものである、請求項２記載のキー保管庫を具備する電気錠ボックス。
【発明の詳細な説明】
【０００１】
【発明の属する技術分野】
本発明は、ドアノブなどに取り付ける手段として例えばシャックルを有し、キー保管庫を具備する電気錠ボックスに関する。
【０００２】
【従来の技術】
ドアノブに取り付けるためのシャックル及びキー保管庫を具備する電子錠ないし電気錠ボックスが知られている。この電気錠ボックスの使い方は、キー保管庫にドアの鍵を保管しておき、リモコンで電気錠ボックスのキー保管庫を解錠し、保管庫からドアの鍵を取り出し、その電気錠ボックスが取り付けられているドアの錠をその鍵で開け、部屋に入ることができるというものである。この電子錠ボックスは、主として、マンション、アパートなどの不動産空き物件（のドアノブ）に取り付ける。
従来、この電気錠ボックスが取り付けられたドアノブの鍵穴に何かを詰め込むなどのいたずらが為されたりされたり、不正にその鍵穴を解錠しようとされたり、することがあった。
なお、鍵穴をカバーする電気符号錠技術は、特開２００１−２９５５２０号公報に開示されている。
【０００３】
【特許文献１】
特開２００１−２９５５２０号公報
【０００４】
【発明が解決しようとする課題】
本発明に係るキー保管庫を具備する電気錠ボックスは、上記した従来の技術が有する問題点に鑑み成されたものであり、次の課題を解決することを目的とする。
電気錠ボックスが取り付けられているドアの鍵穴に、いたずらや不正な解錠操作が為されないようにする。
【０００５】
【課題を解決するための手段】
上記課題を解決するための本発明の第１発明は、請求項１に記載されたとおりのであり、次のようなものである。
鍵穴を有するドアのドアノブに電気錠ボックスを取り付け、前記電気錠ボックスに該鍵穴を覆う部材を設けたことを特徴とするキー保管庫を具備する電気錠ボックスである。
【０００６】
上記課題を解決するための本発明の第２発明は、請求項２に記載されたとおりのであり、次のようなものである。
請求項１記載のキー保管庫を具備する電気錠ボックスにおいて、前記電気錠ボックスは、シャックルを有し、前記鍵穴を覆う部材は、前記シャックルが閉錠状態のとき、前記鍵穴を覆うものであり、前記シャックルが解錠状態のとき、前記鍵穴を覆わない構成としたキー保管庫を具備する電気錠ボックスである。
【０００７】
上記課題を解決するための本発明の第３発明は、請求項３に記載されたとおりのであり、次のようなものである。
請求項２記載のキー保管庫を具備する電気錠ボックスにおいて、前記電気錠ボックスは、前記キー保管庫が閉錠状態のとき、前記鍵穴を覆うものであり、前記キー保管庫が解錠状態のとき、前記鍵穴を覆わない構成としたキー保管庫を具備する電気錠ボックスである。
【０００８】
【発明の実施の形態】
図１は、本発明に係わるキー保管庫を具備する電気錠ボックスの閉錠状態時の実施の一形態を示すブロック図である。
通常、電気錠システムというのは、リモコン８と電気錠本体３を含んでおり、電気錠本体３がキー保管庫７ａを具備する電気錠ボックスに相当する。
電気錠本体３は、解錠コード５を記憶しており、リモコン８の所持者は、その入力部９で該解錠コードを入力し、ＣＰＵ１１は、必要ならメモリ１２を参照するなどして、通信装置１０を介して、該解錠コードを電気錠本体３に送信する。電気錠本体３の制御部４は、受信した解錠コードと記憶している解錠コード５とを照合し、キー保管庫７ａの錠機構７を解錠する。なお、シャックル６ａにも錠機構６を設けてもよい。このシャックル６ａの錠機構６を解錠する鍵は、キー保管庫７ａに収納しておいてもよいし、リモコン８所持者が持って来てもよいし、リモコン８から所定の情報を電気錠本体３に送信して、制御部６に解錠指令を錠機構６に出させてもよい。
図１では、ドアノブ１３にシャックル６ａでもって、電気錠本体３が取り付けられており、錠機構６が閉錠状態であり、ドアノブ１３のドア（図示せず）の錠の鍵穴部１をシャックル６ａに設けてある鍵穴覆い部２が覆っていること示している。なお、鍵穴覆い部２は、鍵穴部１を全部カバーする必要は必ずしもない。鍵穴にいたずらが為されない程度に覆えばよいのである。
【０００９】
図２は、本発明に係わるキー保管庫を具備する電気錠ボックスの解錠状態時の実施の一形態を示すブロック図である。
シャックル６ａは、解錠状態であり、鍵穴覆い部２は、鍵穴部１を覆う状態にはない。従って、鍵穴部１にその対応する鍵を差し込んで、解錠することができる。その鍵は、キー保管庫７ａに収納しておけばよい。
このように、本発明では、鍵穴覆い部２をシャックル６ａに設けてもよい。また、以下に述べるように、シャックル６以外の電気錠本体３の適当な部位を鍵穴覆い部２としてもよい。
【００１０】
図３は、本発明に係わるキー保管庫を具備する電気錠ボックスの閉錠状態時の別の実施の一形態を示すブロック図である。
電気錠本体３、すなわち電気錠ボックスのケース（筐体）の一部を、鍵穴部１をカバーし得る形状としたものである。鍵穴覆い部２は、鍵穴部１を覆っているので、この鍵穴に対するいたずらや不正を防止できる。
【００１１】
図４は、本発明に係わるキー保管庫を具備する電気錠ボックスの解錠状態時の別の実施の一形態を示すブロック図である。
キー保管庫７ａが解錠状態になって、電気錠本体３から引出されると、鍵穴覆い部２が鍵穴部１をカバーしなくなる位置に来るように、電気錠本体３及び鍵穴覆い部２を設計することも可である。
電気錠本体３を解錠した者は、キー保管庫７ａから鍵を取り出して、鍵穴部１に差し込んで、解錠することができる。
【００１２】
【発明の効果】
本発明に係るキー保管庫を具備する電気錠ボックスは、以上説明してきたような構成であるので、以下に記載する効果を奏する。
電気錠ボックスが取り付けられるドアノブのドアの鍵穴を覆う部材を電気錠ボックスに設けた。従って、電気錠ボックスが取り付けられているドアの鍵穴にいたずらや不正な解錠操作が為されることがない、キー保管庫を具備する電気錠ボックスを提供することが可能である。
【図面の簡単な説明】
【図１】図１は、本発明に係わるキー保管庫を具備する電気錠ボックスの閉錠状態時の実施の一形態を示すブロック図である。
【図２】図２は、本発明に係わるキー保管庫を具備する電気錠ボックスの解錠状態時の実施の一形態を示すブロック図である。
【図３】図３は、本発明に係わるキー保管庫を具備する電気錠ボックスの閉錠状態時の別の実施の一形態を示すブロック図である。
【図４】図４は、本発明に係わるキー保管庫を具備する電気錠ボックスの解錠状態時の別の実施の一形態を示すブロック図である。
【符号の説明】
１  鍵穴部
２  鍵穴覆い部
３  電気錠本体
４  制御部
５  解錠コード
６  錠機構
６ａ  シャックル
７  錠機構
７ａ  キー保管庫
８  リモコン
９  入力部
１０  通信装置
１１  ＣＰＵ
１２  メモリ
１３  ドアノブ
【図１】
2004225516.tif 000003
【図２】
2004225516.tif 000004
【図３】
2004225516.tif 000005
【図４】
2004225516.tif 000006